(57)【要約】【課題】ディスク状記録媒体の記録容量の増加。【解決手段】記録再生の対象となるディスク状記録媒体は、トラック記録方式により情報を記録する第１の領域と、トラック記録方式とは異なる所定の方式により情報が記録されるがトラックも形成されている第２の領域を有している。そこで、第２の領域に対してアクセスするときには、この第２の領域に記録されているトラックをターゲットとしてシーク動作又はアクセス動作を実行させるように構成する。これにより、第２の領域へのアクセスをトラックピッチ精度で制御することが可能になり、その分、第２の領域の幅を狭くすることができる。そして、第２の領域の幅が狭くなった分、第１の領域の幅を拡大することが可能になる。【選択図】        図９
2004288307.tif 000002
【特許請求の範囲】
【請求項１】
周回状のトラックが形成されている情報記録領域において、少なくとも、上記トラックに対して情報が記録される第１の領域と、上記第１の領域とは異なる他の所定の態様により情報が記録される第２の領域とを有するディスク状記録媒体に対応して、記録又は再生が可能とされる記録再生装置において、
少なくとも、情報の読み出し又は記録のためにディスク状記録媒体に対して照射されるレーザ光の出力端となる対物レンズを有するピックアップ手段と、
上記対物レンズと上記ディスク状記録媒体の半径方向との相対的位置関係を変位させるための機構を有する変位機構部と、
上記第２の領域内に対して上記レーザ光の照射位置を移動させるときには、上記第２の領域内に形成される上記トラックに対して、上記レーザ光が照射される状態とするようにして上記変位機構部を駆動制御する駆動制御手段、
を備えていることを特徴とする記録再生装置。
【請求項２】
上記トラックを上記レーザ光が適正にトラックをトレースするためのトラッキングサーボ制御が実行されている状態下で、上記ピックアップ手段により照射されたレーザ光の反射光を検出することで、トラックに記録されているアドレスを取得することのできるアドレス取得手段を、さらに備えると共に、
上記駆動制御手段は、
上記アドレス取得手段により取得されるアドレスを利用して、上記第２の領域内の所定のアドレスにアクセスするアクセス動作が得られるように、上記変位機構部を制御する、
ことを特徴とする請求項１に記載の記録再生装置。
【請求項３】
上記アクセス動作により、上記第２の領域内の所定のアドレスへのアクセスが完了した後において、上記トラッキングサーボ制御を停止させるように制御するサーボ動作制御手段をさらに備える、
ことを特徴とする請求項２に記載の記録再生装置。
【請求項４】
上記レーザ光が現在照射されているトラックから、上記第２の領域内の所定のトラックまでの、ディスク状記録媒体半径方向におけるトラック数を算出するトラック数算出手段をさらに備え、
上記駆動制御手段は、
上記現在のトラック位置から、上記第２の領域内の所定のトラック位置の方向に対して、上記トラック数算出手段により算出されたトラック数だけ上記ディスク状記録媒体に対するレーザ光の照射位置が変位するように、上記変位機構部を制御する、
ことを特徴とする請求項１に記載の記録再生装置。
【請求項５】
上記第２の領域内に上記レーザ光の照射位置が在るとされる場合には、上記ディスク状記録媒体に対する情報記録のための上記レーザ光の照射を行わないように制御するレーザ光照射動作制御手段、
をさらに備えることを特徴とする請求項１に記載の記録再生装置。
【請求項６】
上記情報記録領域内に記録され、上記情報記録領域内における領域についての記録可能／不可を示す情報であり、上記第２の領域については、記録不可が設定されている記録制御情報に基づいて、上記情報記録領域に対する情報記録の実行／不実行を制御する記録動作制御手段、をさらに備える、
ことを特徴とする請求項１に記載の記録再生装置。
【請求項７】
上記記録制御情報は、
上記第１の領域における欠陥領域部分について交替領域を用いて交替処理を実行するための管理情報が記録される交替管理情報の一部として格納されている、
ことを特徴とする請求項６に記載の記録再生装置。
【請求項８】
周回状のトラックが形成されている情報記録領域において、少なくとも、上記トラックに対して情報が記録される第１の領域と、上記第１の領域とは異なる他の所定の態様により情報が記録される第２の領域とを有するディスク状記録媒体に対応し、上記情報記録領域に対してレーザ光を照射することによって記録又は再生が可能とされる記録再生方法において、
上記第２の領域内に対して、上記レーザ光の照射位置を移動させるときには、上記第２の領域内に形成される上記トラックに対して、上記レーザ光が照射され状態とするようにして、上記レーザ光の照射位置を変位させる変位機構部を駆動制御する、
ことを特徴とする記録再生方法。
【発明の詳細な説明】
【０００１】
【発明の属する技術分野】
本発明は、ディスク状記録媒体に対応して情報の記録又は再生が可能な記録再生装置、及びその方法に関するものである。
【０００２】
【従来の技術】
デジタルデータを記録・再生するための技術として、例えば、ＣＤ（Ｃｏｍｐａｃｔ  Ｄｉｓｋ），ＭＤ（Ｍｉｎｉ−Ｄｉｓｋ），ＤＶＤ（Ｄｉｇｉｔａｌ  Ｖｅｒｓａｔｉｌｅ  Ｄｉｓｋ）などの、光学ディスク状記録媒体（光磁気ディスクを含む）を記録メディアに用いたデータ記録技術がある。光学ディスク状記録媒体（以下、単に光ディスク）ともいう）とは、金属薄板等による信号層をプラスチックで保護した円盤として形成される。そして、この信号層に対してレーザ光を照射し、その反射光の変化により、記録されている周回状のトラックに記録される信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭなどで知られているようにユーザーデータが記録可能なタイプがある。記録可能タイプのものは、光磁気記録方式、相変化記録方式、色素膜変化記録方式などが利用されることで、データが記録可能とされる。色素膜変化記録方式はいわゆる追記型であり、一度だけデータ記録が可能で書換不能であるため、データ保存用途などに好適とされる。一方、光磁気記録方式や相変化記録方式はデータの書換が可能であり、音楽、映像、ゲーム、アプリケーションプログラム等の各種コンテンツデータの記録を始めとして各種用途に利用される。
【０００３】
上記した各種の光ディスクにおいて、例えば、ＤＶＤ系の光学ディスク状記録媒体は、これより以前のＣＤなどと比較しても大幅な大容量化が図られている。そして、近年においては、例えばブルーレイディスク（Ｂｌｕ−ｒａｙ  Ｄｉｓｃ）と呼ばれる高密度光ディスクが開発され、さらに大容量化が図られている。
つまり、光学ディスク状記録媒体では、大容量化が進められているという状況にある。
このような大容量化のための技術としては、周知のように、例えば主としては、光学ディスク状記録媒体におけるトラックピッチをより狭くすることが行われる。また、光学ディスク状記録媒体に対応する記録再生装置側では、レーザ光の波長をより短いものとしたり、また、ディスク信号面に照射するレーザ光の出力端である対物レンズのＮＡを大きくするなどのことが行われている。つまり、大容量化のために、高記録密度化を図っているものである。
【０００４】
また、例えば上記したＤＶＤ系、及びブルーレイディスクなどでは、上記のようにして通常にトラックに対して信号が記録される以外の記録領域として、いわゆるＢＣＡ（Ｂｕｒｓｔ  Ｃｕｔｔｉｎｇ  Ａｒｅａ）を形成するようにしている（例えば特許文献１参照）。
このＢＣＡは、周知のようにして、例えばディスクのリードインエリアよりもさらに内周において、円周方向に沿ってバーコード状の縞模様が形成されており、このバーコードにより所定内容の情報が記録されている。例えば、ディスクごとに固有となる識別子が記録される。
【０００５】
通常のトラックに対して信号が記録される記録領域では、フォーカスサーボ制御によって信号面に対してレーザ光のスポットが合焦しており、かつ、トラッキングサーボ制御によって適正にトラックをトレースしている状態の下で、信号の記録又は再生を行うようにされている。
これに対して、ＢＣＡは、トラッキングサーボ制御をかけずに、単にフォーカスサーボ制御による合焦状態が得られている状態で、より簡易に情報を読み出すことを前提として形成されている領域である。
【０００６】
そして、実際にＢＣＡに記録されるバーコード状の情報の読み出しを実行する際には、例えば、単に、光学ピックアップを機械的に内周側の移動限界位置に対して移送させるようにしている。或いは、内周側の移動限界位置に近い位置で、リミットスイッチなどにより位置規制をすることとしている。このような位置状態とすることで、光学ピックアップの対物レンズから出力されるレーザ光のスポット位置が、ディスク半径方向においてＢＣＡの領域内に在るようにされ、ＢＣＡに記録された情報を読み出すことが可能となる。
【０００７】
【特許文献１】
特開平１０−２２８６４６号公報
【０００８】
【発明が解決しようとする課題】
上記のようにして、ＢＣＡからの情報の読み出しのために、レーザ光の照射位置をコントロールする動作は、例えば光学ピックアップを最内周側の所要位置に移動させるという機械的な動作のみに依存している。
このために、ＢＣＡの半径方向における幅としては、機械的な誤差による光学ピックアップの位置ずれなどを考慮して、比較的広めにとる必要があり、例えば実際には、約１ｍｍとなっている。
【０００９】
ここで、上記したように、光ディスクでは、さらなる大容量化が推し進められている状況にある。
この大容量化という観点から見た場合、例えばトラックピッチが数μｍ、あるいは１μｍ以下であるのに対して、ＢＣＡの領域は、その幅が１ｍｍである。つまり、ＢＣＡの領域は、光ディスクの記録領域全体において相当の占有率を有しているものであり、その分、記録容量を大きくすることの妨げになっているということがいえる。
例えば高記録密度化によって記録容量を増加させていったとしても、上記のようにして、ＢＣＡが幅を広く占有しているままであるとすれば、このＢＣＡの領域が存在していることによる大容量化の妨げという問題は、依然として残ることとなってしまう。
特に近年においては、記録媒体について、大容量化と共に、小型化も要求されている状況にある。光ディスクを小型化しようとすれば、その半径サイズを小型化していくことになるが、この場合、光ディスクの面積におけるＢＣＡの占有率は相対的に高くなってしまうから、上記した問題がさらに顕著となる。
【００１０】
【課題を解決するための手段】
そこで、本発明は上記した課題を考慮して、記録再生装置として次のように構成することとした。
つまり、周回状のトラックが形成されている情報記録領域において、少なくとも、トラックに対して情報が記録される第１の領域と、この第１の領域とは異なる他の所定の態様により情報が記録される第２の領域とを有するディスク状記録媒体に対応して記録又は再生が可能とされる記録再生装置において、少なくとも、情報の読み出し又は記録のためにディスク状記録媒体に対して照射されるレーザ光の出力端となる対物レンズを有するピックアップ手段と、対物レンズとディスク状記録媒体の半径方向との相対的位置関係を変位させるための機構を有する変位機構部と、第２の領域内に対してレーザ光の照射位置を移動させるときには、第２の領域内に形成されるトラックに対して、レーザ光が照射される状態とするようにして上記変位機構部を駆動制御する駆動制御手段とを備えることとした。
【００１１】
また、周回状のトラックが形成されている情報記録領域において、少なくとも、上記トラックに対して情報が記録される第１の領域と、上記第１の領域とは異なる他の所定の態様により情報が記録される第２の領域とを有するディスク状記録媒体に対応し、上記情報記録領域に対してレーザ光を照射することによって記録又は再生が可能とされる記録再生方法としては、次のように構成することとした。
つまり、第２の領域内に対して、レーザ光の照射位置を移動させるときには、第２の領域内に形成されるトラックに対してレーザ光が照射され状態とするようにしてレーザ光の照射位置を変位させる変位機構部を駆動制御するように構成することとした。
【００１２】
上記各構成によれば、記録再生の対象となるディスク状記録媒体は、いわゆるトラック記録方式により情報が記録される第１の領域と、トラック記録方式とは異なる態様により情報が記録される第２の領域を有している。そして、この第２の領域は、トラックが形成される情報記録領域内にあるから、トラックに対して信号を記録しない領域であるにもかかわらず、トラックが形成されている領域となっている。
そして、この点を利用して、第２の領域に対してレーザ光の照射位置を移動させるときには、この第２の領域に形成されているトラックにレーザ光が照射されるように、変位機構部の移動動作を駆動制御するようにしている。つまり、第２の領域内のトラックを到達目標位置として、対物レンズからのレーザ光の照射位置を移動させるものである。
これにより、第２の領域内へのレーザ光照射位置の移動動作を、トラックピッチ精度で実行することが可能となる。
【００１３】
【発明の実施の形態】
以下、本発明の実施の形態について説明を行うこととする。
１．ディスク構造
２．ＤＭＡ
３．ディスクドライブ装置
４．ＢＣＡアクセス制御処理
４−１．第１例
４−２．第２例
４−３．第３例
５．ＢＣＡ記録禁止制御処理
５−１．第１例
５−２．第２例
【００１４】
１．ディスク構造
先ず、本実施の形態の記録再生装置が対応する光ディスクのエリア構造及び信号面の物理的構造について説明する。
なお、本発明に対応する光ディスクとしては、再生専用タイプであっても良いし、また、少なくともユーザデータについて、追記又は書き換えが可能なタイプであってもよい。ただし、以降においては、説明の便宜上、本実施の形態の光ディスクとしては、書き換え可能なタイプであることを前提として説明を行うこととする。
【００１５】
図１（ａ）には、本実施の形態に対応する光ディスク１００のエリア構造が示されている。
この図に示すディスクは、規格により定められた所定の半径を有するディスク形状を有しており、内周側から、バーストカッティングエリア（Ｂｕｒｓｔ  Ｃｕｔｔｉｎｇ  Ａｒｅａ）ＢＣＡ、リードインエリア９１、データエリア９２、リードアウトエリア９３が配される。
【００１６】
先ず、リードインエリア９１は各種の管理情報が記録され、また、いわゆる試し書きによる記録が行われるエリアである。またデータエリア９２はユーザーデータが記録される領域である。また、リードアウトエリア９３にも管理情報が記録される。
データエリア９２におけるユーザーデータの記録は、トラック記録方式におけるグルーブ記録方式である。つまりディスク上には予めグルーブ（溝）によるトラックが形成され、このグルーブを記録トラックとして記録が行われる。
同様にして、リードインエリア９１及びリードアウトエリア９３においてもグルーブ記録方式による情報記録が行われる。
【００１７】
このようなグルーブＧＶは、ウォブリング（蛇行）されて形成されることにより物理アドレスが表現される。
図２においてグルーブを模式的に示しているが、グルーブＧＶの左右の側壁は、アドレス情報等に対応してウォブリングされる。つまりアドレス等に基づいて生成された信号に対応して蛇行している。
グルーブＧＶとその隣のグルーブＧＶの間はランドＬＤとされる。本実施の形態のディスク１００ではデータの記録は、例えばグルーブＧＶに行われるものとされる。つまりグルーブＧＶがデータトラックとなる。なお、ランドＬＤをデータトラックとしてデータの記録をランドＬＤに行うようにすることや、グルーブＧＶとランドＬＤの両方をデータトラックとして用いるようなフォーマットであってもよい。
【００１８】
このようにデータを記録するトラックが例えばプリグループとして予め形成され、このプリグループの側壁がアドレス情報等を変調したウォブリング信号によりウォブリング（蛇行）されていることで、記録時や再生時に、反射光情報として得られるウォブリング情報からアドレスを読み取ることができる。
つまり、記録トラックとされるグルーブＧＶは、アドレス情報としてのウォブル信号に応じた蛇行形状となっている。光ディスクに対するディスクドライブ装置では、グルーブＧＶに照射したレーザスポットの反射光からそのグルーブの両エッジ位置を検出し、レーザスポットを記録トラックに沿って移動させていった際におけるその両エッジ位置のディスク半径方向に対する変動成分を抽出することにより、ウォブル信号を再生することができる。
そして、再生したウォブル信号からアドレス情報等を復調することによって、データの記録や再生の際のアドレス制御等を行うことができる。また、これにより、トラック上に離散的にアドレスエリアを設けて例えばピットデータとしてアドレスを記録することが不要となり、そのアドレスエリアが不要となる分、実データの記録容量を増大させることができる。
なお、このようなウォブリングされたグルーブにより表現される絶対時間（アドレス）情報は、ＡＴＩＰ（Ａｂｓｏｌｕｔｅ  Ｔｉｍｅ  Ｉｎ  Ｐｒｅｇｒｏｏｖｅ）又はＡＤＩＰ（Ａｄｄｒｅｓｓ  Ｉｎ  Ｐｒｅｇｒｏｏｖｅ）と呼ばれる。
【００１９】
また、本実施の形態のディスク１００において、グルーブＧＶはスパイラル状に内周から外周に向かって形成されるが、別例として、グルーブＧＶを同心円状に形成することも可能である。
また、例えばディスク１００はＣＬＶ（線速度一定）方式で回転駆動されてデータの記録再生が行われるものとすると、グルーブＧＶについてもＣＬＶとされる。従って、トラック１周回のグルーブのウォブリング波数はディスク外周側に行くほど多くなる。
【００２０】
最内周における情報記録領域であるバーストカッティングエリアＢＣＡは、円周方向に沿ってバーコード形態により情報が記録される領域である。例えば、ディスクごとに固有となるディスクＩＤなどが記録される。
そして、本実施の形態のディスク１００では、図１（ａ）において破線で括って示すＡ部分を拡大した図１（ｂ）に示されるように、ＢＣＡの領域においてもグルーブＧＶが形成されている。
【００２１】
つまり、本実施の形態のディスク１００は、情報記録領域として、バーストカッティングエリアＢＣＡからリードアウトエリア９３までの領域全体にわたり、グルーブが形成されている構造を有しているものである。従って、図１（ａ）に示すグルーブエリアＧＶＡとしては、バーストカッティングエリアＢＣＡ、リードインエリア９１、データエリア９２が連続した領域となる。
【００２２】
また、ディスク１００は、先にも述べたようにして、グルーブ記録方式によりユーザデータを書き換え可能なタイプであることとしている。このため、データエリア９２は、相変化方式に対応した信号記録層が形成されており、グルーブＧＶとしてのトラック上に相変化方式によりユーザーデータの記録が行われる。
また、前述したように、リードインエリア９１も相変化方式に対応した信号記録層が形成されており、グルーブＧＶとしてのトラック上に対して、管理情報の書き換えや、試し書きのための信号記録が、相変化方式により行える領域が確保されている。リードアウトエリア９３も同様にして、グルーブＧＶとしてのトラック上に対して、相変化方式により管理情報の書き換えが行えるようにされている。
【００２３】
本実施の形態の場合、バーストカッティングエリアＢＣＡについても、グルーブＧＶ（即ちトラック）が形成されており、相変化方式に対応した信号記録層も、例えばリードインエリアから連続して形成されているものとされる。
このようにして、相変化方式に対応した信号記録層を有して形成されるバーストカッティングエリアＢＣＡにおいては、バーコード形態の情報を次のようにして形成することができる。
【００２４】
例えば製造段階において、初期化前の状態では、信号記録層はアモルファスの状態にある。例えばデータエリア９２については、領域全体に対して、例えばＹＡＧレーザによるレーザ光を照射して初期化を行うことで、アモルファスからクリスタルの状態に変化させるようにしている。
バーストカッティングエリアＢＣＡの信号記録層も、初期化前においてはアモルファスの状態にある。そして、初期化に伴っては、このバーストカッティングエリアＢＣＡ全体を初期化してクリスタルの状態にするのではなく、例えばディスクＩＤの内容に対応したバーコードのパターンに対応させて、円周方向における所要の部分についてのみレーザ光の照射を行ってクリスタル状態とする。この工程の結果、バーストカッティングエリアＢＣＡにおいては、円周方向に沿った所要幅のアモルファス状態のバー部分と、クリスタル状態のバー部分とのパターンによる、バーコード態様の情報記録が行われたことになるものである。
【００２５】
なお、参考のために、例えばＤＶＤに採用されているバーストカッティングエリアＢＣＡを形成する工程は次のようになる。つまり、バーストカッティングエリアＢＣＡとしての領域に相変化方式に対応した信号記録層を形成する代わりに、アルミを蒸着させる。この後に、ＹＡＧレーザにより蒸着されたアルミ層の所要の部位を焼き切るようにしていくことで、バーコードのパターンを形成するものである。
【００２６】
ところで、上記のようにして、アモルファス層とクリスタル層によるパターンによりバーストカッティングエリアＢＣＡを形成する場合、その形成のための工程としては、厳密には、バーストカッティングを行っているとは言えない。しかし本明細書上では、説明の便宜上、このような形成工程により情報記録されるエリアについてもバーストカッティングエリアＢＣＡということとする。
【００２７】
また、本実施の形態の場合、ディスク１００において、グルーブＧＶにウォブルとして形成されるＡＤＩＰ（又はＡＴＩＰ）は、リードインエリア９１、データエリア９２、及びリードアウトエリア９３には、必須的に形成される。
これに対して、バーストカッティングエリアＢＣＡについては、後述するディスクドライブ装置によるバーストカッティングエリアＢＣＡに対するアクセス制御であるＢＣＡアクセス制御について、何れの制御処理とするのかに応じて、ＡＤＩＰを形成する必要のある場合と、無い場合とに分けられる。
【００２８】
続いては、図３及び図４を参照して、上記図１に示したディスク１００のエリア構造について、より詳細に説明していくこととする。
ディスク上の領域としては、先に図１にも示しているように、内周側からバーストカッティングエリアＢＣＡ、リードインエリア９１、データエリア９２、リードアウトエリア９３が配される。
また、記録・再生に関する領域構成としてみれば、最内周側のバーストカッティングエリアＢＣＡと、リードインエリア９１におけるプリレコーデッド情報領域ＰＩＣが再生専用領域とされ、リードインエリア９１における管理領域からリードアウトエリア９３の終端位置までが、書き換え可能なリライタブル領域とされる。
【００２９】
そして、先の図１による説明からも理解されるように、再生専用領域及びリライタブル領域には、ウォブリンググルーブ（蛇行された溝）による記録トラックがスパイラル状に形成されている。グルーブはレーザスポットによるトレースの際のトラッキングのガイドとされ、かつこのグルーブが記録トラックとされてデータの記録再生が行われる。
【００３０】
リードインエリア９１における管理／制御情報領域にはコントロールデータエリア、ＤＭＡ（Ｄｅｆｅｃｔ  Ｍａｎａｇｅｍｅｎｔ  Ａｒｅａ  ）、テストライトエリア（ＯＰＣ）、バッファエリアなどを有する所定の領域フォーマットが設定される。
【００３１】
管理／制御情報領域におけるコントロールデータエリアには、次のような管理／制御情報が記録される。
すなわち、ディスクタイプ、ディスクサイズ、ディスクバージョン、層構造、チャンネルビット長、ＢＣＡ情報、転送レート、データエリア位置情報、記録線速度、記録／再生レーザパワー情報などが記録される。
【００３２】
また同じく、管理／制御情報領域内に設けられるテストライトエリア（ＯＰＣ）は、記録／再生時のレーザパワー等、データ記録再生条件を設定する際の試し書きなどに使われる。即ち記録再生条件調整のための領域である。
【００３３】
管理／制御情報領域内には、ＤＭＡが設けられるが、通常、光ディスクの分野ではＤＭＡは欠陥管理のための交替管理情報が記録される。
【００３４】
リードインエリア９１より外周側のデータエリア９２は、図１（ａ）においても説明したように、ユーザーデータが記録再生される領域である。データエリア９２の開始アドレスＡＤｄｔｓ、終了アドレスＡＤｄｔｅは、上述したコントロールデータエリアのデータエリア位置情報において示される。
【００３５】
データエリア９２においては、その最内周側にＩＳＡ（Ｉｎｎｅｒ  Ｓｐａｒｅ  Ａｒｅａ）が、また最外周側にＯＳＡ（Ｏｕｔｅｒ  Ｓｐａｒｅ  Ａｒｅａ）が設けられる。ＩＳＡ、ＯＳＡは、後に述べるように欠陥領域部分のための交替領域とされる。
データエリア９２においてＩＳＡとＯＳＡにはさまれた区間がユーザーデータ領域とされる。このユーザーデータ領域が通常にユーザーデータの記録再生に用いられる通常記録再生領域である。ユーザーデータ領域の位置、即ち開始アドレスＡＤｕｓ、終了アドレスＡＤｕｅは、例えば、上記ＤＭＡに記述される。
【００３６】
ここで、欠陥領域部分のための交替領域として、ＩＳＡ、ＯＳＡの２つの領域をそれぞれ、ユーザーデータ領域の前後に形成していることで、例えば交替エリアに対するアクセスを効率的なものとすることができる。
つまり、ユーザーデータ領域において、ＩＳＡ側に近いとされる欠陥領域部分については、これに対応する交替エリアをＩＳＡ側に用意し、ＯＳＡ側に近いとされる欠陥領域部分については、これに対応する交替エリアをＯＳＡ側に用意するように設定する。これにより、欠陥領域部分から交替エリアまでのアクセス距離ができるだけ短くなるようにされるため、それだけアクセス時間も短縮されることになる。なお、このような設定の詳細については、例えばディスクドライブ装置に対するシステム設定として、ユーザが任意に変更することが可能とされる。
【００３７】
データエリア９２より外周側のリードアウトエリア９３は、管理／制御情報領域とされ、コントロールデータエリア、ＤＭＡ、バッファエリア等が、所定のフォーマットで形成される。コントロールデータエリアには、例えばリードインエリア９１におけるコントロールデータエリアと同様に各種の管理／制御情報が記録される。ＤＭＡは、リードインエリア９１におけるＤＭＡと同様にＩＳＡ、ＯＳＡの管理情報が記録される領域として用意される。
【００３８】
図４には、管理／制御情報領域の構造例を示している。
図示するようにリードインエリア９１には、未定義区間（リザーブ）を除いて、ＤＭＡ２，ＯＰＣ（テストライトエリア）、ＤＭＡ１の各エリアが形成される。またリードアウトエリア９３には、未定義区間（リザーブ）を除いて、ＤＭＡ３，ＤＭＡ４の各エリアが形成される。
なお、上述したコントロールデータエリアは示していないが、例えば実際にはコントロールデータエリアの一部がＤＭＡとなっていることから、図示を省略した。
【００３９】
上記説明から分かるように、リードインエリア９１及びリードアウトエリア９３で、計４つのＤＭＡが設けられる。各ＤＭＡ１〜ＤＭＡ４は、同一の交替管理情報が記録される。
このようにして、例えば４つという複数のＤＭＡの領域を設けるのは、次のような理由による。
ＤＭＡは、後述するようにして、欠陥領域部分と、この欠陥領域部分に対応させた交替エリアの管理に用いられる。ディスクドライブ装置では、例えばディスクが装填されたときに、ＤＭＡエリアにアクセスしてここに記録されている情報の読み出しを実行して、交替処理の際に利用する。また、これまで装填されていたディスクがディスクドライブ装置から排出されるときは、例えば今回の再生動作に応じて、新規に欠陥の情報が追加されたことなどに応じて、ディスクのＤＭＡについての更新を実行する。
このことから、ＤＭＡに対するアクセス頻度は、他の領域と比較して格段に多いことが分かる。これは、他の領域よりも、信号記録層の劣化が進行することを意味する。あるいは、ＤＭＡの更新のために書き込み動作を実行している途中で電源供給が停止してしまったような状況が生じることも考えられる。
【００４０】
そこで、複数のＤＭＡを設けておくようにすれば、例えばどこかの１つのＤＭＡの領域の劣化が著しいことで、情報の記録再生が行えなくなった場合でも、他の記録再生が可能なＤＭＡを使用することができ、以降においても適正な交替エリアの管理が行えることになる。
また、ＤＭＡに対する情報の書き込み途中で電源供給が停止して、このＤＭＡにおける情報が破壊されたとしても、例えば他のＤＭＡには、既に更新された情報が記録されて残っている可能性があり、このＤＭＡを利用すれば、以降においても適正な交替エリア管理が行え、また、破壊されたＤＭＡも復旧させることが可能である。また、情報の更新されたＤＭＡが無かったとしても、前回のＤＭＡの情報は残っていることになるから、この破壊されずに残っているＤＭＡを利用すれば、実際の欠陥状況と比較的整合を保った状態で交替エリア管理が可能となる。つまり、交替エリア管理についての信頼性の向上、及びこれに伴うユーザ保護を図っているものである。
【００４１】
また、１回のＤＭＡの更新処理としては、ＤＭＡ１〜ＤＭＡ４の全てのＤＭＡについて同じ内容を書き込むようにして更新を行う。そして、この際においても、上記した交替エリア管理についての信頼性の向上、及びユーザ保護を目的として、その更新順について、例えば、ＤＭＡ１→ＤＭＡ２→ＤＭＡ３→ＤＭＡ４の順に行うべきとして規定されている。
つまり、ディスクドライブ装置において、光ディスク１００に対する再生に応じて、欠陥領域部分が新たに検出された場合、その欠陥のエリア（クラスタ）をメモリに保持しておくようにされる。そして、光ディスクがディスクドライブ装置から排出されるときには、上記メモリに保持していた欠陥領域部分の情報に基づいてＤＭＡの更新を行うが、この際において、ＤＭＡ１→ＤＭＡ２→ＤＭＡ３→ＤＭＡ４の順に書き込みを実行するようにして、各ＤＭＡの更新を行うものである。
例えば、ここで、ＤＭＡ１は適正に書き込むことができたのであるが、何らかの障害（例えば電源停止など）によりＤＭＡ２に対する書き込みにエラーが生じ、結果的に、ＤＭＡ２に記録された内容が信頼性のあるものではなかったとする。
そして、この後において、光ディスク１００からＤＭＡを読み込んだときに、例えばＤＭＡ１〜ＤＭＡ４の全てのＤＭＡについて、ＥＣＣエラーなどが発生せずに正常に読み込めたのにもかかわらず、記録されている情報内容について相違が生じていたような状況であったとする。
そこで、このような場合の対策として、上記のようにして複数のＤＭＡに対する更新順が規定されていることを利用して、適正にデータが記録されたＤＭＡを推定するためのアルゴリズムを組むようにすれば、データ内容的に信頼性の高いＤＭＡを高い確率で推定することが可能になる。
【００４２】
２．ＤＭＡ
リードインエリア９１、リードアウトエリア９３に記録されるＤＭＡの構造を説明する。
図５にＤＭＡの構造を示す。
ここではＤＭＡのサイズは３２クラスタ（３２×６５５３６バイト）とする例を示す。なお、クラスタとはデータ記録の最小単位である。
もちろんＤＭＡサイズが３２クラスタに限定されるものではない。図５では、３２クラスタの各クラスタを、クラスタ番号１〜３２としてＤＭＡにおける各内容のデータ位置を示している。また各内容のサイズをクラスタ数として示している。
【００４３】
ＤＭＡにおいて、クラスタ番号１〜４の４クラスタの区間にはＤＤＳ（ｄｉｓｃ  ｄｅｆｉｎｉｔｉｏｎ  ｓｔｒｕｃｔｕｒｅ）としてディスクの詳細情報が記録される。このＤＤＳに格納される情報内容についての詳細は省略するが、データエリア９２におけるＩＳＡ、ＯＳＡの領域管理を行うための所要の管理／制御情報が格納される。この場合、ＤＤＳは１クラスタのサイズとされ、４クラスタの区間において４回繰り返し記録される。
【００４４】
クラスタナンバ５〜８の４クラスタの区間は、ディフェクトリストＤＦＬの１番目の記録領域（ＤＦＬ＃１）となる。ディフェクトリストＤＦＬの構造は図６で述べるが、ディフェクトリストＤＦＬは４クラスタサイズのデータとなり、その中に、個々の交替アドレス情報をリストアップした構成となる。
クラスタナンバ９〜１２の４クラスタの区間は、ディフェクトリストＤＦＬの２番目の記録領域（ＤＦＬ＃２）となる。
さらに、４クラスタずつ３番目以降のディフェクトリストＤＦＬ＃３〜ＤＦＬ＃６の記録領域が用意され、クラスタナンバ２９〜３２の４クラスタの区間は、ディフェクトリストＤＦＬの７番目の記録領域（ＤＦＬ＃７）となる。
つまり、３２クラスタのＤＭＡには、ディフェクトリストＤＦＬ＃１〜ＤＦＬ＃７の７個の記録領域が用意される。
【００４５】
これらのディフェクトリストＤＦＬ＃１〜ＤＦＬ＃７は、データ構造は同一であるが、例えば最初に欠陥領域部分の情報が得られて、これに対応した情報をディフェクトリストＤＦＬ＃１の領域に対して格納したとすると、次に新規に欠陥領域部分の情報が得られた場合には、ディフェクトリストＤＦＬ＃１はそのまま残して、ディフェクトリストＤＦＬ＃２の領域に新規の情報を格納するようにされる。そして、以降においては、新規に欠陥の情報が追加されるごとに、ディフェクトリストＤＦＬ＃３→＃４・・・＃６→＃７のようにして新規の情報を順次格納していく。
また、例えばディフェクトリストＤＦＬ＃７までに対して新規の情報を格納した後に、さらに新規の情報を格納すべき場合には、ディフェクトリストＤＦＬ＃１について上書きする。このようにして、欠陥領域部分に関する新規の情報は、ディフェクトリストＤＦＬ＃１〜ＤＦＬ＃７を循環して使用するようにして、順次格納していくようにされる。
【００４６】
このようにして、複数のディフェクトリストＤＦＬの領域を設け、常に過去のディフェクトリストの情報を保持するようにされているが、これは、先に説明したＤＭＡ全体について複数備えることとほぼ同様の理由による。つまり、ディフェクトリストの情報の更新のためのアクセス頻度も非常に高いことから、このようにして複数のディフェクトリストＤＦＬを設けておくことで、或るディフェクトリストＤＦＬに対する書き込み／読み出しがエラーとなったような状態でも、残りのディフェクトリストを使用して適正に交替エリアの管理を行うことができる。また、ディフェクトリストＤＦＬの更新時において電源供給が停止したとしても、過去の情報が格納されたディフェクトリストＤＦＬのうちから、できるだけ最新のものを使用することで、比較的整合性を維持して交替エリア管理が行えることとなる。
【００４７】
次に図６にディフェクトリストＤＦＬの構造を示す。
図５で説明したように、ディフェクトリストＤＦＬは４クラスタの記録領域に記録される。
図６においては、バイト位置として、４クラスタのディフェクトリストＤＦＬにおける各データ内容のデータ位置を示している。なお１クラスタ＝３２セクタ＝６５５３６バイトであり、１セクター＝２０４８バイトである。
バイト数は各データ内容のサイズとしてのバイト数を示す。
【００４８】
ディフェクトリストＤＦＬの先頭の６４バイトはディフェクトリスト管理情報とされる。
このディフェクトリスト管理情報には、ディフェクトリストのクラスタであることを認識する情報、バージョン、ディフェクトリスト更新回数、ディフェクトリストのエントリー数などの情報が記録される。
またバイト位置６４以降は、ディフェクトリストのエントリー内容として、各８バイトの交替アドレス情報ａｔｉが記録される。
そして有効な最後の交替アドレス情報ａｔｉ＃Ｎの直後には、交替アドレス情報終端としてのターミネータ情報が８バイト記録される。
このＤＦＬでは、交替アドレス情報終端以降、そのクラスタの最後までが００ｈで埋められる。
【００４９】
また、図７に、交替アドレス情報ａｔｉの構造を示す。即ち交替処理された各エントリー内容を示す情報である。
交替アドレス情報ａｔｉの総数は最大３２７５９個である。
１つの交替アドレス情報ａｔｉは、８バイト（６４ビット）で構成される。各ビットをビットｂ６３〜ｂ０として示す。
ビットｂ６３〜ｂ６０には、エントリーのステータス情報（ｓｔａｔｕｓ  １）が記録される。
【００５０】
ステータス情報が「００００」であるとき、通常の交替処理エントリーを示すものとなる。ここでの通常の交替処理とは、欠陥領域部分である交替元クラスタは不使用として、これに対応して設定された交替先クラスタを代わりに使用する処理となる。つまり、ステータス情報が「００００」である場合、交替元クラスタ（欠陥領域部分）とこれに対応する交替先クラスタ（交替エリア）が共に示されてる交替アドレス情報ａｔｉであることを示す。
【００５１】
ステータス情報が「０００１」であるとき、欠陥クラスタのみを管理する処理エントリーを示すものとなる。つまり、この場合には、交替元クラスタのみが欠陥領域部分として示され、交替先クラスタは示されていない交替アドレス情報ａｔｉであることを示す。
【００５２】
そして、ステータス情報が「００１０」であるときは、記録禁止制御に対応する処理エントリーを示す。つまり、ステータス情報が「００１０」とされる実際には欠陥領域部分ではないが、記録禁止を設定すべきエリアを、欠陥領域部分として交替アドレス情報ａｔｉに登録しておく。これにより、上記記録禁止を設定すべきエリアは、記録が行われるべきでない領域としては、欠陥領域部分と同様にして扱われることになる。ただし、ステータス情報が「００１０」であるときは、その登録されたエリアに対する再生のためのアクセスは許可されることとして規定される。
【００５３】
図７において、上記ステータス情報に続くビットｂ５９〜ｂ３２には、交替元クラスタの最初の物理セクターアドレスが示される。即ち欠陥又は書換により交替されるクラスタを、その先頭セクターの物理セクターアドレスによって示すものである。
ビットｂ３１〜ｂ２８は、リザーブとされる。なおエントリーにおけるもう一つのステータス情報（ｓｔａｔｕｓ  ２）が記録されるようにしてもよい。
【００５４】
ビットｂ２７〜ｂ０には、交替先クラスタの先頭の物理セクターアドレスが示される。
即ち、欠陥或いは書換によりクラスタが交替される場合に、その交替先のクラスタを、その先頭セクターの物理セクターアドレスによって示すものである。
【００５５】
ここで、ステータス情報が「００００」である交替アドレス情報ａｔｉにおいては、ビットｂ５９〜ｂ３２の領域の交替元クラスタの最初の物理セクターアドレスと、ビットｂ２７〜ｂ０の領域の交替先クラスタの先頭の物理セクターアドレスとの両者が記述されることになる。
また、ステータス情報が「０００１」である交替アドレス情報ａｔｉにおいては、ビットｂ５９〜ｂ３２の領域の交替元クラスタの最初の物理セクターアドレスのみが有効な情報として記述され、ビットｂ２７〜ｂ０の領域は、例えばＡＬＬ‘０’又はＡＬＬ‘１’を格納することで、有効な情報が格納されていないことを示すこととする。
また、ステータス情報が「００１０」である交替アドレス情報ａｔｉにおいても、ビットｂ５９〜ｂ３２の領域の交替元クラスタ（但しこの場合には、記録禁止クラスタとなる）の最初の物理セクターアドレスのみが有効な情報として記述され、ビットｂ２７〜ｂ０の領域は、例えばＡＬＬ‘０’又はＡＬＬ‘１’を格納することで、有効な情報が格納されていないことを示すことになる。
【００５６】
以上のような交替アドレス情報ａｔｉが１つのエントリーとされて１つの交替処理に係る交替元クラスタと交替先クラスタが示される。
そして、このようなエントリーが、図６の構造のディフェクトリストＤＦＬに登録されていく。ＤＭＡにおいては、以上のようなデータ構造で、交替管理情報が記録される。
【００５７】
３．ディスクドライブ装置
次に、上記のような本実施の形態の光ディスク１００に対応して記録再生が可能なディスクドライブ装置（記録再生装置）の構成例について、図８を参照して説明する。なお、この場合のディスクドライブ装置としては、光ディスクに対してユーザデータとしてＡＶ（Ａｕｄｉｏ−Ｖｉｓｕａｌ）データを記録再生することとしている。
【００５８】
光ディスク１００は図示しないターンテーブルに積載され、記録／再生動作時においてスピンドルモータ５２によって一定線速度（ＣＬＶ）で回転駆動される。
そして光学ピックアップ（光学ヘッド）５１によって光ディスク１００上のグルーブトラックのウォブリングとして埋め込まれたＡＤＩＰアドレスやプリレコーデッド情報としての管理／制御情報の読み出しがおこなわれる。
またユーザーデータ記録時には光学ピックアップによってリライタブル領域におけるトラックに、管理／制御情報やユーザーデータが記録され、再生時には光学ピックアップによって記録されたデータの読出が行われる。
【００５９】
ピックアップ５１内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
【００６０】
ピックアップ５１内において対物レンズは二軸機構によってトラッキング方向及びフォーカス方向に移動可能に保持されている。
またピックアップ５１全体はスレッド機構５３によりディスク半径方向に移動可能とされている。
またピックアップ５１におけるレーザダイオードはレーザドライバ６３からのドライブ信号（ドライブ電流）によってレーザ発光駆動される。
【００６１】
光ディスク１００からの反射光情報はピックアップ５１内のフォトディテクタによって検出され、受光光量に応じた電気信号とされてマトリクス回路５４に供給される。
マトリクス回路５４には、フォトディテクタとしての複数の受光素子からの出力電流に対応して電流電圧変換回路、マトリクス演算／増幅回路等を備え、マトリクス演算処理により必要な信号を生成する。
例えば再生データに相当する高周波信号（再生データ信号）、サーボ制御のためのフォーカスエラー信号、トラッキングエラー信号などを生成する。
さらに、グルーブのウォブリングに係る信号、即ちウォブリングを検出する信号としてプッシュプル信号を生成する。
なお、マトリクス回路５４は、ピックアップ５１内に一体的に構成される場合もある。
【００６２】
マトリクス回路５４から出力される再生データ信号はリーダ／ライタ回路５５へ、フォーカスエラー信号及びトラッキングエラー信号はサーボ回路６１へ、プッシュプル信号はウォブル回路５８へ、それぞれ供給される。
【００６３】
リーダ／ライタ回路５５は、再生データ信号に対して２値化処理、ＰＬＬによる再生クロック生成処理等を行い、ピックアップ５１により読み出されたデータを再生して、変復調回路５６に供給する。
変復調回路５６は、再生時のデコーダとしての機能部位と、記録時のエンコーダとしての機能部位を備える。
再生時にはデコード処理として、再生クロックに基づいてランレングスリミテッドコードの復調処理を行う。
またＥＣＣエンコーダ／デコーダ５７は、記録時にエラー訂正コードを付加するＥＣＣエンコード処理と、再生時にエラー訂正を行うＥＣＣデコード処理を行う。
再生時には、変復調回路５６で復調されたデータを内部メモリに取り込んで、エラー検出／訂正処理及びデインターリーブ等の処理を行い、再生データを得る。
ＥＣＣエンコーダ／デコーダ５７で再生データにまでデコードされたデータは、システムコントローラ６０の指示に基づいて、読み出され、接続された機器、例えばＡＶ（Ａｕｄｉｏ−Ｖｉｓｕａｌ）システム１２０に転送される。
【００６４】
グルーブのウォブリングに係る信号としてマトリクス回路５４から出力されるプッシュプル信号は、ウォブル回路５８において処理される。ＡＤＩＰ情報としてのプッシュプル信号は、ウォブル回路５８においてＡＤＩＰアドレスを構成するデータストリームに復調されてアドレスデコーダ５９に供給される。
アドレスデコーダ５９は、供給されるデータについてのデコードを行い、アドレス値を得て、システムコントローラ６０に供給する。
またアドレスデコーダ５９はウォブル回路５８から供給されるウォブル信号を用いたＰＬＬ処理でクロックを生成し、例えば記録時のエンコードクロックとして各部に供給する。
【００６５】
また、グルーブのウォブリングに係る信号としてマトリクス回路５４から出力されるプッシュプル信号として、プリレコーデッド情報ＰＩＣとしてのプッシュプル信号は、ウォブル回路５８においてバンドパスフィルタ処理が行われてリーダ／ライタ回路５５に供給される。そして２値化され、データビットストリームとされた後、ＥＣＣエンコーダ／デコーダ５７でＥＣＣデコード、デインターリーブされて、プリレコーデッド情報としてのデータが抽出される。抽出されたプリレコーデッド情報はシステムコントローラ６０に供給される。
システムコントローラ６０は、読み出されたプリレコーデッド情報に基づいて、各種動作設定処理やコピープロテクト処理等を行うことができる。
【００６６】
記録時には、ＡＶシステム１２０から記録データが転送されてくるが、その記録データはＥＣＣエンコーダ／デコーダ５７におけるメモリに送られてバッファリングされる。
この場合ＥＣＣエンコーダ／デコーダ５７は、バファリングされた記録データのエンコード処理として、エラー訂正コード付加やインターリーブ、サブコード等の付加を行う。
またＥＣＣエンコードされたデータは、変復調回路５６において例えばＲＬＬ（１−７）ＰＰ方式の変調が施され、リーダ／ライタ回路５５に供給される。
記録時においてこれらのエンコード処理のための基準クロックとなるエンコードクロックは上述したようにウォブル信号から生成したクロックを用いる。
【００６７】
エンコード処理により生成された記録データは、リーダ／ライタ回路５５で記録補償処理として、記録層の特性、レーザー光のスポット形状、記録線速度等に対する最適記録パワーの微調整やレーザドライブパルス波形の調整などが行われた後、レーザドライブパルスとしてレーザードライバ６３に送られる。
レーザドライバ６３では供給されたレーザドライブパルスをピックアップ５１内のレーザダイオードに与え、レーザ発光駆動を行う。これにより光ディスク１００に記録データに応じたピットが形成されることになる。
【００６８】
なお、レーザドライバ６３は、いわゆるＡＰＣ回路（Ａｕｔｏ  Ｐｏｗｅｒ  Ｃｏｎｔｒｏｌ）を備え、ピックアップ５１内に設けられたレーザパワーのモニタ用ディテクタの出力によりレーザ出力パワーをモニターしながらレーザーの出力が温度などによらず一定になるように制御する。記録時及び再生時のレーザー出力の目標値はシステムコントローラ６０から与えられ、記録時及び再生時にはそれぞれレーザ出力レベルが、その目標値になるように制御する。
【００６９】
サーボ回路６１は、マトリクス回路５４からのフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、ピックアップ５１内の二軸機構のフォーカスコイル、トラッキングコイルを駆動することになる。これによってピックアップ５１、マトリクス回路５４、サーボ回路６１、二軸機構によるトラッキングサーボループ及びフォーカスサーボループが形成される。
【００７０】
またサーボ回路６１は、システムコントローラ６０からのトラックジャンプ指令に応じて、トラッキングサーボループをオフとし、ジャンプドライブ信号を出力することで、トラックジャンプ動作を実行させる。
【００７１】
またサーボ回路６１は、トラッキングエラー信号の低域成分として得られるスレッドエラー信号や、システムコントローラ６０からのアクセス実行制御などに基づいてスレッドドライブ信号を生成し、スレッド機構５３を駆動する。スレッド機構５３には、図示しないが、ピックアップ５１を保持するメインシャフト、スレッドモータ、伝達ギア等による機構を有し、スレッドドライブ信号に応じてスレッドモータを駆動することで、ピックアップ５１の所要のスライド移動が行なわれる。
【００７２】
スピンドルサーボ回路６２はスピンドルモータ２をＣＬＶ回転させる制御を行う。
スピンドルサーボ回路６２は、ウォブル信号に対するＰＬＬ処理で生成されるクロックを、現在のスピンドルモータ５２の回転速度情報として得、これを所定のＣＬＶ基準速度情報と比較することで、スピンドルエラー信号を生成する。
またデータ再生時においては、リーダ／ライタ回路５５内のＰＬＬによって生成される再生クロック（デコード処理の基準となるクロック）が、現在のスピンドルモータ５２の回転速度情報となるため、これを所定のＣＬＶ基準速度情報と比較することでスピンドルエラー信号を生成することもできる。
そしてスピンドルサーボ回路６２は、スピンドルエラー信号に応じて生成したスピンドルドライブ信号を出力し、スピンドルモータ６２のＣＬＶ回転を実行させる。
またスピンドルサーボ回路６２は、システムコントローラ６０からのスピンドルキック／ブレーキ制御信号に応じてスピンドルドライブ信号を発生させ、スピンドルモータ２の起動、停止、加速、減速などの動作も実行させる。
【００７３】
以上のようなサーボ系及び記録再生系の各種動作はマイクロコンピュータによって形成されたシステムコントローラ６０により制御される。
システムコントローラ６０は、ＡＶシステム１２０からのコマンドに応じて各種処理を実行する。
【００７４】
例えばＡＶシステム１２０から書込命令（ライトコマンド）が出されると、システムコントローラ６０は、まず書き込むべきアドレスにピックアップ５１を移動させる。そしてＥＣＣエンコーダ／デコーダ５７、変復調回路５６により、ＡＶシステム１２０から転送されてきたデータ（例えばＭＰＥＧ２などの各種方式のビデオデータや、オーディオデータ等）について上述したようにエンコード処理を実行させる。そして上記のようにリーダ／ライタ回路５５からのレーザドライブパルスがレーザドライバ６３に供給されることで、記録が実行される。
【００７５】
また例えばＡＶシステム１２０から、光ディスク１００に記録されている或るデータ（ＭＰＥＧ２ビデオデータ等）の転送を求めるリードコマンドが供給された場合は、まず指示されたアドレスをターゲットとしてアクセス動作制御を行う。即ちサーボ回路６１に指令を出し、アクセスコマンドにより指定されたアドレスをターゲットとするピックアップ５１のアクセス動作を実行させる。
その後、その指示されたデータ区間のデータをＡＶシステム１２０に転送するために必要な動作制御を行う。即ち光ディスク１００からのデータ読出を行い、リーダ／ライタ回路５５、変復調回路５６、ＥＣＣエンコーダ／デコーダ５７におけるデコード／バファリング等を実行させ、要求されたデータを転送する。
【００７６】
なお、これらのデータの記録再生時には、システムコントローラ６０は、ウォブル回路５８及びアドレスデコーダ５９によって検出されるＡＤＩＰアドレスを用いてアクセスや記録再生動作の制御を行うことができる。
【００７７】
また、光ディスク１００が装填された際など所定の時点で、システムコントローラ６０は、光ディスク１００のバーストカッティングエリアＢＣＡにおいて記録されたディスクＩＤや、プリレコーデッド情報（ＰＩＣ）の読出を実行させる。
例えば、プリレコーデッド情報を目的としてアクセス動作制御を行う場合、サーボ回路６１に指令を出し、このプリレコーデッド情報の記録開始位置のアドレスへのピックアップ５１のアクセス動作を実行させる。
その後、ピックアップ５１によりプリレコーデッド情報上のトラックをトレースさせるトラッキングサーボ制御を実行しながら、反射光情報としてのプッシュプル信号を得、ウォブル回路５８、リーダ／ライタ回路５５、ＥＣＣエンコーダ／デコーダ５７によるデコード処理を実行させ、ＢＣＡ情報やプリレコーデッド情報としての再生データを得る。
システムコントローラ６０はこのようにして読み出されたプリレコーデッド情報に基づいて、レーザパワー設定やコピープロテクト処理等を行う。
なお、バーストカッティングエリアＢＣＡに対するアクセス制御については後述する。
【００７８】
ところで、この図８のディスクドライブ装置の構成例は、ＡＶシステム１２０に接続されるディスクドライブ装置の例としたが、本発明のディスクドライブ装置としては例えばパーソナルコンピュータ等と接続、或いは内蔵されるものとしてもよい。
また、カムコーダなどの撮像装置部と記録再生装置部が組み合わされるような機器における記録再生装置部として構成することが考えられる、また、据え置き型、若しくは携帯型のＡＶ機器としてのディスク記録再生装置などとして構成することも考えられる。このような構成の場合には、他のホスト的なシステムと接続されない基本構成を採ることになるので、ユーザインターフェイスとして操作部や表示部が設けられたり、データ入出力のインターフェース部位の構成が、図８とは異なるものとなる。つまり、ユーザーの操作に応じて記録や再生が行われるとともに、各種データの入出力のための端子部が形成されればよい。もちろん構成例としては他にも多様に考えられ、例えば記録専用装置、再生専用装置としての例も考えられる。
【００７９】
４．ＢＣＡアクセス制御処理
４−１．第１例
続いては、上記のようにして構成されるディスクドライブ装置による、ディスク１００のバーストカッティングエリアＢＣＡに対するアクセスのための制御処理について、３例を挙げて説明する。
なお、アクセスとは、一般には、対物レンズとディスク信号面とのディスク半径方向における相対位置を変位させることで、光学ピックアップ５１の対物レンズから照射されるレーザ光のスポット位置を、ターゲットのアドレスが記録されたトラックであるターゲットのトラックに到達させるいわゆるシーク動作と、このシーク動作の完了後において、トラッキングサーボループ制御が実行されている下で、到達したトラック上をトレースして、ターゲットのアドレスに到達させる、トレース動作とから成るものとされる。
なお、確認のために述べておくと、シーク動作は、スレッド機構５３、及び対物レンズを支持する二軸機構など、対物レンズとディスク信号面とのディスク半径方向における相対位置を変位可能な機構部位を駆動制御することで行われる。
【００８０】
これに対して、以降の説明から理解されることであるが、本実施の形態においては、バーストカッティングエリアＢＣＡをターゲットとするアクセス（シーク）制御としては、必ずしもトラッキングサーボ制御によってトラック上をトレースさせる必要はない。
しかしながら、説明の便宜上、バーストカッティングエリアＢＣＡをターゲットとしてレーザスポットを移動させる動作に関しては、バーストカッティングエリアＢＣＡ内でトラッキングサーボ制御が実行される場合と、されない場合とを一括して「ＢＣＡアクセス」ということにする。
【００８１】
先ず、図９のフローチャートにより、本実施の形態のＢＣＡアクセス制御のための処理動作の第１例について説明する。この図に示す処理は、ディスクドライブ装置のシステムコントローラ６０が、例えば内部ＲＯＭなどに格納されるプログラムにしたがって実行するものである。
【００８２】
システムコントローラ６０は、ステップＳ１０１の処理として、ＢＣＡ読み込み要求が発生するのを待機している。そして、例えばディスクが装填されるなどしてＢＣＡ読み込み要求が発生したとされると、ステップＳ１０２に進んで、フォーカスサーボループをオンとして光学ピックアップ５１から照射されるレーザスポットを信号面に合焦させ、さらにトラッキングサーボループをオンとすることでトラックを適正にトレースする状態とする。
そして、この状態の下で、ステップＳ１０３としての処理により、現在アクセスしているとされる現アドレスＰｃｒを読み込むようにされる。現アドレスＰｃｒを読み込むためには、これまでの説明から理解されるように、レーザ光の反射光に基づいてＡＤＩＰから再生されるウォブル信号をデコードし、アドレス情報を抽出すればよい。
【００８３】
ここで第１例のＢＣＡアクセス制御に対応するディスク１００としては、バーストカッティングエリアＢＣＡ内のトラック（グルーブＧＶ）にもＡＤＩＰによりアドレスが記録されているものとする。
そして、次のステップＳ１０４においては、上記ステップＳ１０３により取得した現アドレスＰｃｒと、ターゲット（アクセス先）としてのバーストカッティングエリアＢＣＡ内の所定アドレスであるＢＣＡアドレスＰｂｃａとに基づいて、ターゲットに移動するまでの移動量（ターゲット移動量）Ｌを算出するようにされる。
このターゲット移動量Ｌの算出の仕方については特に限定しないが、例えば所定のテーブル情報などを用いることで、現アドレスＰｃｒが記録される現トラックの位置に対応するディスク中心からの半径距離と、ＢＣＡアドレスＰｂｃａが記録されるターゲットのトラックに対応するディスク中心からの半径距離とを求め、さらにこれら半径距離の差分を算出することで得ることができる。あるいは、例えば所定の単位アドレス差分量に対応する半径距離に基づいて得られる係数を設定しておき、現アドレスＰｃｒとＢＣＡアドレスＰｂｃａのアドレス差分値と、上記係数とを少なくとも利用して演算を行って得るようにすることも考えられる。
【００８４】
なお、ＢＣＡアドレスＰｂｃａとしては、例えば、バーストカッティングエリアＢＣＡ内において、ディスク半径方向においてほぼ中心位置にあるトラックに記録されたアドレスを選択して設定することが好ましいが、この理由については後述する。
【００８５】
次のステップＳ１０５においては、上記ステップＳ１０４にて算出されたターゲット移動量Ｌと、単位移動量Ｌ１との関係について、Ｌ＞Ｌ１が成立しているか否かについて判別する。
この場合の単位移動量Ｌ１は、予め設定された固定値であり、この第１例としてのＢＣＡアクセスにおいて、バーストカッティングエリアＢＣＡをターゲットとしてシーク動作を行うときに規定される最大移動可能量をいう。
そして、ステップＳ１０５において、Ｌ＞Ｌ１が成立していると判別された場合には、現在のターゲット移動量Ｌが、単位移動量Ｌ１よりも多いということになるが、この場合には、現トラックの位置から単位移動量Ｌ１分だけ、バーストカッティングエリアＢＣＡ側に対して近づけるようにして、シーク動作を実行することになる。このための処理が、ステップＳ１０６→Ｓ１０７となる。
【００８６】
ステップＳ１０６においては、シーク動作の準備のために、これまでにおいてオンとされていたトラッキングサーボループをオフに切り換える。これにより、フォーカスサーボ制御によって合焦状態が得られるように制御されているが、トラッキングサーボ制御は実行されない状態が得られる。つまり、シーク動作が可能なサーボ制御状態とする。
そして、次のステップＳ１０７により、現トラックの位置からバーストカッティングエリアＢＣＡ側に対して、単位移動量Ｌ１によるシーク動作を実行させる。
【００８７】
なお、単位移動量Ｌ１によりシークを行うための実際の制御としては、例えば単位移動量Ｌ１が、スレッド機構５３によるピックアップ５１の移送を要する程度の移動距離に設定されているとすれば次のように実行することが考えられる。つまり、スレッド機構５３に備えられているロータリーエンコーダ（図８においては図示せず）から出力される回転量の情報をスレッド移動量に置換し、このスレッド移動量が上記単位移動量Ｌ１となるまでスレッド機構５３による移送動作を実行させるようにする。
【００８８】
上記したシーク動作が完了したとされると、ステップＳ１０２の処理に戻るようにされる。
つまり、本実施の形態では、現在のターゲット移動量Ｌが、単位移動量Ｌ１よりも小さくなるまで、単位移動量Ｌ１によるシーク動作を繰り返して、バーストカッティングエリアＢＣＡに対して対物レンズの位置を近づけていくようにされる。
【００８９】
そして、ステップＳ１０５において、否定結果が得られた場合には、ステップＳ１０８以降の処理に進む。ステップＳ１０５において否定結果が得られた場合とは、現トラックの位置から、ターゲットとなるバーストカッティングエリアＢＣＡ内のトラックまでの移動距離（ターゲット移動量Ｌ）が、単位移動量Ｌ１としての移動距離よりも短い状態にあるということになる。詳しいことは後述するが、この単位移動量Ｌ１よりも少ないターゲット移動量Ｌであれば、実際の移動量との誤差は許容範囲内にあるものとされ、このターゲット移動量Ｌによりシークを行っても、シーク完了位置が適正にバーストカッティングエリアＢＣＡ内に在ることが保証される。
【００９０】
そこで、ステップＳ１０８以降の処理としては、ターゲット移動量ＬによりバーストカッティングエリアＢＣＡにアクセスさせるための制御となる。
このため、先ずステップＳ１０８においては、ＢＣＡアドレスＰｂｃａに対するアクセスを実行する。つまり、先ずは、ターゲット移動量ＬによりバーストカッティングエリアＢＣＡ側へのシーク動作を実行させる。この際において、例えばスレッド機構又は対物レンズを移動させているときには、トラッキングサーボループはオフとした状態とする。そして、シーク完了後のトラック位置においてトラッキングサーボループをオンとして現トラックのトレースを行い、現在のアドレス（現アドレス）を検出する。このようにして現アドレスが検出されると、バーストカッティングエリアＢＣＡ内のターゲットアドレスであるＢＣＡアドレスＰｂｃａとのアドレス差を判定し、この判定されたアドレス差に応じて、さらにシーク動作を実行させる。このようなシーク動作が繰り返されることで、最終的には、ＢＣＡアドレスＰｂｃａが記録されたトラックへのシークが完了することになる。
【００９１】
上記のようにしてシーク動作が完了した後においては、ステップＳ１０９の処理として示すように、トラッキングサーボループについてはオフとするように制御処理を実行し、フォーカスサーボループのみオン状態を維持させる。
これにより、ピックアップ５１の対物レンズは、バーストカッティングエリアＢＣＡに対してレーザ光が合焦した状態が得られるようにディスクに接離する方向には駆動されるが、ディスク半径方向に沿っては駆動されない状態となる。
【００９２】
この状態では、レーザスポットは、バーストカッティングエリアＢＣＡ内に形成されるトラックをトレースせずにディスク半径方向において位置が固定した状態とされていることになる。
そして、この状態において、ステップＳ１１０において、バーストカッティングエリアＢＣＡに記録されている情報の読み込みを行うこととしている。
【００９３】
ここで、上記図９に示したＢＣＡアクセスの動作は、ステップＳ１０８の処理として示されているように、バーストカッティングエリアＢＣＡ内に形成されているグルーブＧＶ（トラック）に記録されたＢＣＡアドレスＰｂｃａをターゲットとしてアクセスする動作とされている。
従って、例えばＢＣＡアドレスＰｂｃａをターゲットとして、トラックにシーク動作を行うということは、トラックピッチ精度で、バーストカッティングエリアＢＣＡに対するシークが行えるということを意味している。
これにより、例えばバーストカッティングエリアＢＣＡに対する読み込みをトラッキングサーボ制御を伴って実行すると仮定すれば、バーストカッティングエリアＢＣＡとして要求される幅は、ほぼトラック幅に対応した幅でよいことになる。
【００９４】
しかしながら、バーストカッティングエリアＢＣＡは、本来、トラッキングサーボ制御がオフの状態でも読み込めることを目的として形成されるべきエリアである。また、本実施の形態のディスク１００のバーストカッティングエリアＢＣＡは、データエリア９２と同様に相変化記録膜により形成される部位であるから、バーストカッティングエリアＢＣＡに記録される情報の改竄を防止するためには、バーストカッティングエリアＢＣＡ内に対応して対物レンズが位置しているときには、トラッキングサーボ制御を実行させないことが必要となる。
トラッキングサーボ制御によってトラックをトレースした状態では、バーストカッティングエリアＢＣＡにおける任意のアドレスにアクセスさせることが可能となってしまい、これを利用してバーストカッティングエリアＢＣＡのバーコードパターンの書き換えが行われる可能性が全くないとは言えなくなる。
このため、先に説明したステップＳ１０９により、バーストカッティングエリアＢＣＡへのシーク完了後においてトラッキングサーボループをオフとしている。
【００９５】
このようにしてトラッキングサーボがオフとされる状態でバーストカッティングエリアＢＣＡに対する読み込みを行わなければならないとした場合には、例えばディスクの偏心に応じて、ディスク半径方向における信号面のレーザスポットの位置が変動することを考慮しなければならない。
従って、バーストカッティングエリアＢＣＡとしては、少なくとも、ディスク半径方向における信号面のレーザスポット位置の変動にかかわらず、レーザスポットがバーストカッティングエリアＢＣＡ内に在るようにされることを保証できるだけの幅を有して形成すべきことが要求される。
また、現状におけるバーストカッティングエリアＢＣＡの形成工程では、例えばトラック幅での高精細な形成を行うことが困難であり、この点でも、必然的にトラックピッチよりも広い幅とすることになる。
【００９６】
本実施の形態では、上記したことを考慮して、バーストカッティングエリアＢＣＡの幅について例えば約１００μｍとしているものである。例えば、従来においては要求されていた幅は、約１ｍｍの幅であり、これと比較した場合には、約１／１０にまで縮小されることになる。
【００９７】
もちろんのこと、バーストカッティングエリアＢＣＡの幅は、１００μｍ前後に限定される必要はない。例えば、将来的にバーストカッティングエリアＢＣＡについて、より精細に形成することが可能となったときには、バーストカッティングエリアＢＣＡの幅をさらに狭くしても良いことになる。
【００９８】
なお、前述もしたように、ＢＣＡアドレスＰｂｃａとしては、バーストカッティングエリアＢＣＡ内において、ディスク半径方向においてほぼ中心位置にあるトラックに記録されたアドレスとすることが好ましい。
この設定とすれば、ＢＣＡアドレスＰｂｃａをターゲットとしてシークが完了した状態では、レーザスポットの位置は、ディスク半径方向において、バーストカッティングエリアＢＣＡ内のほぼ中央とすることができる。これにより、上記したようなディスクの偏心にかかわらず、レーザスポットをバーストカッティングエリアＢＣＡ内に位置させることの保証に関しての信頼性が向上する。また、できる限りにおいて、バーストカッティングエリアＢＣＡの幅をより狭いものとすることも可能となる。
【００９９】
そして、上記のようにしてバーストカッティングエリアＢＣＡの幅が短縮された分により、例えばデータエリア９１としてのディスク半径方向における幅を増加させて、情報記録領域におけるデータエリア９１の占有率を高めることが可能となる。そして、データエリア９１の幅が増加された分、トラックの本数も増加させることが可能となり、ユーザデータの記録容量も増加することになる。例えば、バーストカッティングエリアＢＣＡの幅として、従来が正確に１ｍｍ、実施の形態では、正確に１００μｍであると仮定すると、データエリア９１の幅について、最大で約９００μｍ増加させることができる。トラックピッチは、例えば一般に数μｍから１μｍ以下であるが、例えば０．５μｍであると仮定すれば、最大でトラックを１８００本程度増加させることが可能となる。このようにして、トラック記録密度にもよるが、相当の記録可能容量の増加が図られることが分かる。
【０１００】
なお、本実施の形態のディスク１００の場合であれば、例えば、リードインエリア９１、リードアウトエリア９３についても、用途や必要に応じて、ディスク半径方向の幅の増加分を割り当てて、そのエリアの容量増加を図っても良い。
【０１０１】
また、図９に示した処理では、ステップＳ１０５→Ｓ１０６→Ｓ１０７の処理によって、単位移動量Ｌ１によるシーク動作を繰り返し行うことが可能とされている。
例えば、上記したスレッド機構５３の移送によるシーク動作としては、少なからず、設定された移動量と、この移動量に応じた実際のスレッド移動量とに誤差が生じる。このような誤差は、ターゲットへの移動量が大きいほど拡大する。従って、例えばターゲット移動量Ｌが、単位移動量Ｌ１よりもはるかに大きいとされる場合において、ターゲット移動量Ｌのみによる１回のシークを行ったとしても、上記した誤差の拡大が原因となって、対物レンズをバーストカッティングエリアＢＣＡ内に適正に位置させることができない場合があり、かえって効率的なシーク動作が得られない場合も生じ得ることとなる。そこで、上記のようにして、或る程度限定した単位移動量Ｌ１によってシーク動作を繰り返し実行可能に構成すれば、上記したような不都合を生じさせることなく、効率的なシーク動作を得ることができる。
【０１０２】
４−２．第２例
図１０のフローチャートは、第２例としてのＢＣＡアクセス制御のための処理動作を示している。
第２例としても、先ず、ステップＳ２０１においてＢＣＡ情報読み込み要求が発生したことを判別すると、ステップＳ２０２の処理に移行する。
ステップＳ２０２→Ｓ２０３のシーケンスは、図９のステップＳ１０２→Ｓ１０３と同様にして、フォーカスサーボループ及びトラッキングサーボループをオンとして、現アドレスＰｃｒを読み込むための処理となる。
【０１０３】
また、この第２例のＢＣＡアクセス制御に対応するディスク１００としても、バーストカッティングエリアＢＣＡ内のトラック（グルーブＧＶ）にもＡＤＩＰによりアドレスが記録されている。
そして、ステップＳ２０４では、上記ステップＳ２０３により取得したＢＣＡアドレスＰｂｃｒと、バーストカッティングエリアＢＣＡ内のＢＣＡアドレスＰｂｃａとに基づいて、ターゲットトラバース数Ｎを算出する。
ここでいうトラバースとは、ディスク半径方向にトラックを横切る動作をいうものであり、従って、トラバース数とはトラック横断数を指す。そして、ターゲットトラバース数とは、現アドレスＰｃｒが記録されるトラックから、ＢＣＡアドレスＰｂｃａが記録されるトラックに至るまでに横断すべきトラック数を示す。換言すれば、現アドレスＰｃｒが記録されるトラックと、ＢＣＡアドレスＰｂｃａが記録されるトラックとの間に形成されているトラック数である。
【０１０４】
あくまでも一例であるが、ターゲットトラバース数は次のようにして求めることができる。
この場合にも、例えば現アドレスＰｃｒとＢＣＡアドレスＰｂｃａが記録された各トラック間のディスク中心からの半径距離の差分を求めるようにされる。そして、この半径距離の差分について、例えばトラックピッチの値などをパラメータとして所定の演算を行うようにされる。これにより、現アドレスＰｃｒ、ＢＣＡアドレスＰｂｃａが記録された各トラック間に在るとされるトラック数を求めることができる。
【０１０５】
次のステップＳ２０５では、上記ステップＳ２０４により算出されたターゲットトラバース数Ｎと、予め設定された固定値としての単位トラバース数Ｎ１とについて、Ｎ＞Ｎ１が成立しているか否かについて判別する。
この単位トラバース数Ｎ１は、図９に示した第１例における単位移動量Ｌ１に相当する。つまり、バーストカッティングエリアＢＣＡをターゲットとしてシーク動作を行うときに規定される最大移動可能量（距離）に対応する横断トラック数が設定される。
【０１０６】
ステップＳ２０５において、現在のターゲットトラバース数Ｎが、単位トラバース数Ｎ１よりも多いとして肯定結果が得られた場合には、ステップＳ２０６→Ｓ２０７の処理によって、バーストカッティングエリアＢＣＡ側に対して近づけるようにして、シーク動作を実行する。
先ず、ステップＳ２０６では、シーク動作準備のためにトラッキングサーボループをオフとし、ステップＳ２０７により、単位トラバース数Ｎ１によりバーストカッティングエリアＢＣＡ側の方向へのシークを実行する。
【０１０７】
ステップＳ２０７としての処理は、スレッド機構５３又は対物レンズを移動するための制御を実行しながら、このときの横断トラック数をカウントし、この横断トラック数が単位トラバース数Ｎ１に至るとシーク動作を完了させるものとなる。
ここで、横断トラック数のカウントは、例えば周知のようにして、シーク動作時において得られるトラッキングエラー信号（トラバース信号）の波形を利用すればよい。つまり、トラックを横切るときのトラッキングエラー信号は、レーザスポットが、例えばグルーブ、及びランドの各中央に位置しているとされる状態では０レベルで、隣接するグルーブとランドのほぼ中間に位置しているときには、正極性／負極性のピークが交互に現れるものとなる。そして、このようなトラッキングエラー信号について閾値を設定すると、１パルスが１トラックに対応しているようなパルス信号を得ることができる。
そこで、例えば上記したパルス信号のパルス数をカウントすれば、横断トラック数をカウントしていることと同じになるものである。
【０１０８】
上記のようにして実行されるステップＳ２０７によるシークが完了したとされると、ステップＳ２０２の処理に戻るようにされる。これにより、ステップＳ２０５において肯定結果が得られている限りは、単位トラバース数Ｎ１によるシーク動作を繰り返し実行することになる。
【０１０９】
これに対して、ステップＳ２０５において、Ｎ＞Ｎ１が成立しないとして否定結果が得られた場合には、ステップＳ２０８の処理に進む。
ステップＳ２０５において否定結果が得られた場合とは、現トラックの位置から、ターゲットとなるバーストカッティングエリアＢＣＡ内のトラックまでの移動距離であるターゲットトラバース数Ｎが、単位トラバース数Ｎ１よりも少なくなっている状態にあるということになる。そして、このような場合には、ステップＳ２０８において、ターゲットトラバース数Ｎによりシークを実行するようにされる。
【０１１０】
上記ステップＳ２０８により、ターゲットトラバース数Ｎによるシークが完了したときには、レーザスポットは、ＢＣＡアドレスＰｂｃａが記録されたトラックがあるとされる位置に在ることとなる。
そこで、次の処理としては、ＢＣＡ情報の読み出しを実行すべきこととなるのであるが、例えばステップＳ２０８のシーク動作完了直後においては、フォーカスサーボループはオンであるのに対して、トラッキングサーボループはオフとなっている。
【０１１１】
そして、この第２例では、破線のブロックで括って示すステップＳ２０９として示すように、シーク動作完了直後のフォーカスサーボループがオンで、トラッキングサーボループがオフの状態を維持させることとしている。換言すれば、実際には、シーク動作完了直後において、フォーカスサーボとトラッキングサーボに関しての動作変更などの制御は、特に実行しないようにされる。そのうえで、ノントラッキングの状態で、ステップＳ２１０として示すように、バーストカッティングエリアＢＣＡに記録されている情報の読み出しを実行するようにされる。
【０１１２】
例えば第１例のＢＣＡアクセス制御として図９に示した処理では、ステップＳ１０８において説明したように、バーストカッティングエリアＢＣＡに対するアクセスのために、シーク位置のアドレスを確認する際にトラッキングサーボループをオンとしていた。
これに対して、第２例では、ステップＳ２０８の処理としては、シーク動作として、ターゲットトラバース数Ｎによるトラックジャンプ動作を１回実行するのみであり、そのまま、トラッキングサーボループがオフの状態でもって、バーストカッティングエリアＢＣＡに対する情報の読み出しを実行している。
【０１１３】
つまり、第２例のＢＣＡアクセス制御の場合、ターゲットトラバース数Ｎによりシーク動作を実行してターゲットのトラックにレーザスポットを到達させた結果としては、必然的に、ＢＣＡアドレスＰｂｃａが記録されたトラックにレーザスポットが位置していることになる。従って、敢えてトラッキングサーボループをオンとしてトラックをトレースしてアドレスを読み出し、現在のシーク位置を確認する必要はないことになる。
前述もしたように、バーストカッティングエリアＢＣＡは、トラッキングサーボループをオフとした状態で読み出しを実行する必要があるが、第２例では、ステップＳ２０８によるシーク動作の開始時以降においては、トラッキングサーボループをオンに切り換えることなく、オフ状態としたままでＢＣＡ情報の読み込み処理に移行できる。
【０１１４】
ただし、実際のトラバース信号（トラッキングエラー信号）にはノイズが現れるので、トラバース信号に基づいてカウントされる横断トラック数にも誤差が生じる。
そして、この横断トラック数のカウント誤差はレーザスポットの移動量が大きくなるのに従って拡大してしまうから、この場合にも、バーストカッティングエリアＢＣＡ内のターゲットのトラックに対して相当に距離が離れたトラックから、ターゲットトラバース数Ｎによる一回のトラックジャンプ動作によりシークを行った場合には、実際には、バーストカッティングエリアＢＣＡ内のターゲットのトラックから相当にずれた位置にレーザスポットが到達してしまうという結果が生じる可能性が高くなる。
そこで、第２例としても、ステップＳ２０５→Ｓ２０６→Ｓ２０７の処理によって、単位トラバース数Ｎ１によるシーク動作を繰り返し行えるようにしていることで、最終的にステップＳ２０８のシーク動作（トラックジャンプ）時における横断トラック数のカウント誤差が許容範囲となるようにしている。これにより、ステップＳ２０８としてのシークが完了した段階では、レーザスポットが、バーストカッティングエリアＢＣＡ内において確実にＢＣＡ情報を読み出し可能な位置にあることを保証するようにされている。
特に、第２例では、先にも説明したように、ステップＳ２０８におけるシーク動作に際して、現アドレスの確認を行わない動作となっているので、このような単位トラバース数Ｎ１によるシーク動作を実行させることの有用性は高い。
【０１１５】
４−３．第３例
続いて、本実施の形態のＢＣＡアクセス制御の第３例について説明する。
上記図１０に示した第２例としての処理では、横断トラック数のカウントに基づいたＢＣＡアクセス制御としていることで、ステップＳ２０８においてはシーク完了位置のアドレスを確認する必要がないようにされている。
このことから、バーストカッティングエリアＢＣＡ内に形成されるトラックとしてのグルーブＧＶに関しては、ウォブリングによるアドレス情報は必ずしも必要ではないということがいえる。
そこで、第３例としては、バーストカッティングエリアＢＣＡ内のトラックにアドレスを記録していないディスク１００に対応してＢＣＡアクセス制御を可能とする構成を採ることとする
【０１１６】
この第３例については、再度、図１０を参照して説明する。
第３例としてのＢＣＡアクセスのための処理としては、この図１０にほぼ準じたものとなる。ただし、バーストカッティングエリアＢＣＡ内のトラックにはアドレスが記録されていないので、ステップＳ２０４としてのターゲットトラバース数Ｎを算出するのにあたり、ＢＣＡアドレスＰｂｃａを利用しない手法を採ることになる。
【０１１７】
このためには、例えばシステムコントローラ６０は、予め、ＢＣＡアクセスのときにターゲットとなるバーストカッティングエリアＢＣＡ内のトラックの位置情報として、ディスク中心からの半径距離の情報をＲＯＭなどに保持しておくようにされる。
バーストカッティングエリアＢＣＡのディスク半径方向における位置は、実際に策定されるディスク１００のフォーマットによって固定的に決まる。従って、バーストカッティングエリアＢＣＡ内において、どの半径位置にあるトラックをターゲットトラックとするのかを予め決めておけば、これに応じて、上記ターゲットトラックのディスク中心からの半径距離も固定的に決まることとなる。システムコントローラ６０のＲＯＭ内には、このようにして決定されたターゲットトラックの半径距離の情報を記憶保持させておけばよい。
【０１１８】
そして、第３例としてのステップＳ２０４の処理としては、ステップＳ２０３により取得された現アドレスＰｃｒが記録されるトラックのディスク中心からの半径距離と、システムコントローラ６０が保持している上記ターゲットトラックのディスク中心からの半径距離との差分を求めるようにされる。そして、この差分として得られたトラック間の距離に在るとされるトラックの本数を、前述もしたように、トラックピッチなどのパラメータを用いて所定の演算式により演算すればよい。
ステップＳ２０４以外の処理は、先の第２例の場合と同様とされる。
【０１１９】
５．ＢＣＡ記録禁止制御処理
５−１．第１例
前述もしたように、バーストカッティングエリアＢＣＡの形成工程としては、予めバーストカッティングエリアＢＣＡとしての領域全体に対してアルミ蒸着を施した後、ＹＡＧレーザなどによりレーザ光を照射して、必要な箇所を焼き付けてアルミを除去することでバーコードパターンを形成する手法がある。
また、もう１つの手法としては、バーストカッティングエリアＢＣＡの領域を相変化膜として形成し、アモルファス状態をクリスタル状態に変化させる初期化時において、必要とされるバーコードパターンに応じて、同様にＹＡＧレーザなどによりレーザ光を照射する。これにより、アモルファス状態のバー部分とクリスタル状態のバー部分とから成るバーコードパターンを形成するものである
【０１２０】
前者の手法により形成されたバーストカッティングエリアＢＣＡは、蒸着されたアルミによるバーコードパターンであるから、以降において書き換えることが物理的に不可能な領域となる。
【０１２１】
これに対して後者の手法により形成されたバーストカッティングエリアＢＣＡは、本来は書き換え可能な信号層である相変化膜を用いている。しかしながら、バーストカッティングエリアＢＣＡは、書き換えは不可の再生専用領域として使用されるべきである。
しかしながら、本実施の形態のディスク１００は、バーストカッティングエリアＢＣＡにトラックが形成されているために、このトラックを頼りにバーストカッティングエリアＢＣＡにアクセスすることが容易である。さらに、バーストカッティングエリアＢＣＡ内のトラックにＡＤＩＰとしてのアドレスが記録されている場合には、アドレスに対するアクセス動作を用いることで、バーストカッティングエリアＢＣＡへのアクセスはさらに容易となる。
これは、後者の手法によりバーストカッティングエリアＢＣＡを形成しているディスク１００としては、例えばユーザによる不用意な操作、若しくは、悪意のあるユーザによる操作などによって、ＢＣＡ情報が改竄されたり、破壊されてしまう可能性を有していることになる。
そこで、ＢＣＡ情報についてのセキュリティ及びユーザ保護を目的として、バーストカッティングエリアＢＣＡに対する書き込み要求が発生したとしても、この要求に応じたデータの書き込み動作が実行されないように構成する必要があることになる。
【０１２２】
そこで、このようなバーストカッティングエリアＢＣＡに対する記録禁止制御のための処理について、２例を挙げて説明する。
第１例としては、システムコントローラ６０が実行すべきプログラムについて、バーストカッティングエリアＢＣＡに対応しては、レーザ光について記録用のレーザパワーを設定しないというアルゴリズムを与えることによって、バーストカッティングエリアＢＣＡに対する記録禁止制御を実現する。
【０１２３】
このための処理動作例を図１１に示す。
ここでは先ず、ステップＳ３０１において、データ書き込み要求が発生するのを待機しており、データ書き込み要求が発生したとされると、ステップＳ３０２に進む。
【０１２４】
ステップＳ３０２においては、データ書き込み要求が指定されたアドレスがどの領域であるのかについて判別する。ここで、指定されたアドレスが、バーストカッティングエリアＢＣＡ以外の記録可能（書き換え可能エリア）内にあるときつまり、指定されたアドレスが、リードインエリア９１の管理／制御情報領域、データエリア９２、リードアウトエリア９３などの書き換え可能なエリア内であるときには、ステップＳ３０３の処理に進む。
【０１２５】
ステップＳ３０３では、バーストカッティングエリアＢＣＡにおける指定アドレスに対するアクセスを実行する。
ここで、上記ステップＳ３０３の処理が完了するまでの段階では、レーザ光のレーザパワーは、再生レベルに設定されている。そこで、次のステップＳ３０４においては、レーザドライバ６３を制御して、再生レベルよりも高レベルの記録用レーザパワーを設定する。そして、続くステップＳ３０５としての処理により、指定されたアドレスからのデータ書き込みを実行する。
つまり、ステップＳ３０３〜Ｓ３０５の処理は、通常のデータ書き込み要求に応じた処理である。
【０１２６】
これに対して、ステップＳ３０２において、指定されたアドレスが、バーストカッティングエリアＢＣＡ内のアドレスであることを判別した場合には、ステップＳ３０６に進む。なお、ディスク１００としては、バーストカッティングエリアＢＣＡ内のトラックにアドレスを記録しない場合もあるとして説明したが、このような場合において、アドレス指定に依らなくとも、データ書き込みをすべきエリアとしてバーストカッティングエリアＢＣＡが指定されたときには、ステップＳ３０６の処理に移行することとする。
【０１２７】
ステップＳ３０６の処理としては、先のステップＳ３０３と同様にして、書き込み要求が指定されたアドレスに対してアクセスするための動作を、通常のデータ書き込み処理のシーケンスと同様にして実行する。
しかしながら、指定アドレスがバーストカッティングエリアＢＣＡにあるとした場合には、システムコントローラ６０は、記録用レーザパワーを設定するための制御処理を実行しない。つまり、処理結果として、図において破線でブロックを括ったステップＳ３０７として示すように、再生用レーザパワーを維持させるものである。
【０１２８】
これにより、以降においてディスクドライブとしてのシステムではデータの書き込みを実行しようとしても、データは記録されないこととなる。そこで、例えばステップＳ３０８として示すようにして、記録エラーとしての対応処理を実行する。つまり、バーストカッティングエリアＢＣＡに対するデータの書き込みは実行できないこととなる。
【０１２９】
５−２．第２例
続いて第２例について説明する。第２例では、先に図４〜図７により説明したＤＭＡを利用して、記録禁止制御を実現する。
図１２は、第２例としての記録禁止制御のための処理動作例を示している。
この場合には、ステップＳ４０１においてデータ書き込み要求が発生したとされるとステップＳ４０２に進むことになる。
【０１３０】
ここで、この図１２に示す処理が実行開始される段階においては、既に装填されたディスク１００に記録されているＤＭＡを読み出して、例えばシステムコントローラ６０内のＲＡＭに保持させている状態にあるものとされる。
ステップＳ４０２においては、上記のようにしてＲＡＭに保持されているＤＭＡから最新のＤＦＬを参照する。
【０１３１】
次のステップＳ４０３においては、上記ステップＳ４０２の処理により参照したＤＦＬの交替アドレス情報ａｔｉのうちで、交替元クラスタとしての領域（図７：ビットｂ５９〜ｂ３２）に、データ書き込み要求が指定されたアドレスが記述されているものがあるか否かについて判別する。
ここで、指定されたアドレスが記述された交替アドレス情報ａｔｉは無いとして否定結果が得られたのであればステップＳ４０４に進む。
【０１３２】
ステップＳ４０４においては、指定アドレスにアクセスしてデータ書き込みを実行する。つまり、指定されたアドレスは、欠陥のないクラスタに含まれていたものであり、交替処理を伴わないデータ書き込み処理が実行される。
【０１３３】
これに対して、ステップＳ４０３において、参照したＤＦＬにおいて、データ書き込み要求が指定されたアドレスが、交替アドレス情報ａｔｉの交替元クラスタとして記述されているとして肯定結果が得られた場合には、ステップＳ４０５の処理に進む。
【０１３４】
ステップＳ４０５では、上記指定されたアドレスが交替元クラスタとして記述されている交替アドレス情報ａｔｉのステータス１（図７：ビットｂ６３〜ｂ６０）を参照して、このステータス１の値について判別する。
そして、ステータス１が「００００」である場合には、通常の交替のエントリーということになる。この場合にはステップＳ４０６に進んで、上記指定されたアドレスが交替元クラスタとして記述されている交替アドレス情報ａｔｉから、交替先クラスタの先頭アドレス（セクタアドレス）を取得する。そして、次のステップＳ４０７により、交替先としてのセクタアドレスにアクセスする。このアクセス先は、これまでの先の図４〜図７の説明により理解されるように、ＩＳＡ又はＯＳＡとなる。そして、アクセスしたセクタアドレスから、クラスタ単位によりデータの書き込みを実行するようにされる。
【０１３５】
また、ステータス１が「０００１」の交替アドレス情報ａｔｉでは、交替処理を伴わず、欠陥領域部分のみを管理するものとなる。つまり、欠陥領域部分（クラスタ）の先頭のセクタアドレスのみを記述し、交替エリアの先頭のセクタアドレスについては記述されていない。
そこで、ステップＳ４０５においてステータス１が「０００１」であるとの判別結果が得られた場合には、交替セクタが用意されていないことから、例えばステップＳ４０８として示すように記録実行エラーとしての処理を実行する。
【０１３６】
そして、ステータス１が「００１０」の交替アドレス情報ａｔｉの場合、交替元クラスタの先頭のセクタアドレスを記述する領域には、実際には欠陥領域部分ではないが、欠陥領域部分と同等に扱うことで、記録禁止を設定すべき領域のクラスタの先頭のセクタアドレスが記述されることとなる。
前述もしたように、このステータス１が「００１０」の交替アドレス情報ａｔｉは、バーストカッティングエリアＢＣＡを形成するクラスタ領域を記述するのに利用される。
【０１３７】
そこで、システムコントローラ６０がステップＳ４０５においてステータス１が「００１０」であると判別した場合には、ステップＳ４０９の処理として示すように、記録エラーに対応する処理を実行する。この結果、バーストカッティングエリアＢＣＡに対するデータの記録を禁止設定した動作が得られることとなる。
【０１３８】
なお、本実施の形態の場合、バーストカッティングエリアＢＣＡに形成されるトラックについては、それ自体がトラック記録再生方式による記録再生に用いられないのであるから、例えば記録容量などを考慮して、他の書き換え可能エリアと同様のトラックピッチを設定する必要はないということがいえる。
【０１３９】
そこで、バーストカッティングエリアＢＣＡに形成するトラックとしては、他の書き換え可能エリアよりも広いトラックピッチによるトラック（グルーブＧＶ）を形成することも考えられる。なお、このようにトラックピッチを広く設定したとしても、先に図９及び図１０により説明した３例のＢＣＡアクセス制御については、支障がない。
つまり、図９により説明した第１例では、ステップＳ１０４において、例えばＢＣＡアドレスＰｂｃａが記録されたトラックのディスク中心からの半径位置が適正に得られている限り、図９に示したプロセスにより問題なくバーストカッティングエリアＢＣＡにアクセスすることがことが可能である。
また、図１０により説明した第２例及び第３例の場合も、バーストカッティングエリアＢＣＡと他のエリアとでトラックピッチが異なっているとしても、トラバースカウントの対象となるトラッキングエラー信号（トラバース信号）が、グルーブ／ランドの中心では０レベルであり、グルーブ／ランドの中間位置で正／負のピークレベルとなる特性に変わりはない。従って、トラバースカウントに基づいてシークを実行する以上、適正にバーストカッティングエリアＢＣＡへのシークを行うことができる。
【０１４０】
また、例えば従来のようにして、スレッド機構の機械的な位置制御のみに依存してＢＣＡアクセスを実行する場合には、確実にバーストカッティングエリアＢＣＡにアクセスできるように、例えばバーストカッティングエリアＢＣＡを、スレッド機構のほぼ移動限界位置に対応する最内周に設けるようにする必要性が生じることになる。
これに対して、本実施の形態では、バーストカッティングエリアＢＣＡに形成されるトラックをターゲットとしてアクセス／シークを実行する構成であるから、上記のようにして、スレッド機構のほぼ移動限界位置に対応させてバーストカッティングエリアＢＣＡを形成する必然性も無いことになる。そこで、ディスク１００において、例えばバーストカッティングエリアＢＣＡをディスク半径方向における任意の位置に形成することも考えられる。
【０１４１】
また、本発明としてはこれまでに説明した実施の形態としての構成に限定されるものではない。例えば本発明が対応する記録媒体としては、光学ディスク状記録媒体として、例えば光磁気ディスクにも適用できる。さらには、光学ディスク状記録媒体以外の媒体として、磁気ディスクなどにも適用することが考えられる。
【０１４２】
【発明の効果】
以上説明したように本発明は、記録再生の対象となるディスク状記録媒体は、トラックが形成される情報記録領域内において、トラック記録方式により情報を記録する第１の領域（リードインエリア、データエリア、リードアウトエリア）と、トラック記録方式とは異なる態様により情報が記録される第２の領域（バーストカッティングエリア）を有している。従って、この第２の領域にはトラックが形成されている。
そこで、本発明としては、第２の領域に対して対物レンズからのレーザ光の照射位置を移動させるときには、この第２の領域に記録されているトラックにレーザスポットが位置するように、シーク動作又はアクセス動作を実行させることとしている。つまり、第２の領域内のトラックをターゲットとして、第２の領域へのアクセス／シークを実現している。これにより、第２の領域内へのアクセス／シーク動作は、トラックピッチ精度で制御することが可能になる。
【０１４３】
例えば従来においては、第２の領域に対するアクセスは、スレッド機構などの機械的精度にのみ依存していた。このため、第２の領域に対するアクセスを確実なものとするためには、この第２の領域のディスク半径方向の幅について、例えばトラック幅などと比較すれば、相当に広くとる必要が生じていた。
これに対して、本発明の場合には、第２の領域内へのアクセス／シークの精度がトラックピッチのレベルにまで向上される。従って、例えば、実際の第２の領域の形成工程の精細レベルや、実際の第２の領域に対する読み出し動作などの条件が許す限り、第２の領域のディスク半径方向における幅を、従来と比較して相当に狭いものとすることができる。
これにより、トラック方式により通常に情報記録が行われる第１の領域のディスク半径方向における幅を拡大することが可能となり、その分の記録容量の増加を図ることができる。
【０１４４】
つまり、本発明による第２の領域へのアクセス／シーク動作を適用することで、ディスク状記録媒体の記録容量を増加させることが可能となる。
特に、近年においては、ディスク状記録媒体の大容量化と共に、小型化も要求されている状況にある。第２の領域の占有率の幅を一定として考えると、ディスク状記録媒体における第２の領域の占有率は、ディスク状記録媒体の径が小さくなるほど高いものとなる。しかしながら、このことは、径の小さいディスク状記録媒体であるほど、第２の領域の幅が狭くなることに依る第２の領域の占有率の低下が顕著なものとなることを意味している。つまり、本発明により第２の領域の幅が狭小化されることは、特にディスク状記録媒体の径が小さくなるほど有効となるものである。
【図面の簡単な説明】
【図１】本実施の形態に対応する光ディスクのエリア構成を示す説明図である。
【図２】実施の形態に対応する光ディスクのウォブリンググルーブ構造を示す斜視図である。
【図３】実施の形態に対応する光ディスクのエリア構造をより詳細に示す説明図である。
【図４】実施の形態に対応する光ディスクのエリア構造として、リードインエリアとリードアウトエリア内の構造を示す説明図である。
【図５】実施の形態のディスクのＤＭＡの説明図である。
【図６】実施の形態のディスクのＤＦＬの内容の説明図である。
【図７】実施の形態のディスクのＤＦＬの交替アドレス情報の説明図である。
【図８】実施の形態のディスクドライブ装置の構成例を示すブロック図である。
【図９】ＢＣＡアクセス制御のための処理動作（第１例）を示すフローチャートである。
【図１０】ＢＣＡアクセス制御のための処理動作（第２例）を示すフローチャートである。
【図１１】バーストカッティングエリアに対する記録禁止動作を実現するための処理動作（第１例）を示すフローチャートである。
【図１２】バーストカッティングエリアに対する記録禁止動作を実現するための処理動作（第２例）を示すフローチャートである。
【符号の説明】
５１  ピックアップ、５２  スピンドルモータ、５３  スレッド機構、５４  マトリクス回路、５５  リーダ／ライタ回路、５６  変復調回路、５７  ＥＣＣエンコーダ／デコーダ、５８  ウォブル回路、５９  アドレスデコーダ、６０  システムコントローラ、６０ａ  キャッシュメモリ、６１  サーボ回路、６２  スピンドルサーボ回路、６３  レーザドライバ、９１  リードインエリア、９２データエリア、９３  リードアウトエリア、１００  ディスク、１２０  ＡＶシステム、ＧＶ  グルーブ（プリグルーブ）、ＬＤ  ランド、ＢＣＡ  バーストカッティングエリア
【図１】
2004288307.tif 000003
【図２】
2004288307.tif 000004
【図３】
2004288307.tif 000005
【図４】
2004288307.tif 000006
【図５】
2004288307.tif 000007
【図６】
2004288307.tif 000008
【図７】
2004288307.tif 000009
【図８】
2004288307.tif 000010
【図９】
2004288307.tif 000011
【図１０】
2004288307.tif 000012
【図１１】
2004288307.tif 000013
【図１２】
2004288307.tif 000014